(57)【要約】【課題】内容物放出の誤操作を阻止して利用者の利便化を図り、回動キャップの平伏状態または垂下状態の違いよってロックモード／ロック解除モードの確認の簡単化を図る。【解決手段】容器本体ユニット４を収容するカバー体５、およびこれと一体のＬ字状ノズル５ｎからなるカバー体ユニット８を用いる。カバー体５は、ロックモード設定用のＬ字状起立片部５ｊを備え、回動キャップ７が取り付けられている。回動キャップ７には、ロックモード設定用でその先端部分が、マウンティングカップ２の天面部分２ｂとＬ字状起立片部５ｊの上平面５ｋとの間に入り込む脚部７ｄを備える。図示のロック解除モードは、ロックモードの回動キャップ７をＡ方向に９０度ほど回動して、脚部７ｄの先端部分が天面部分２ｂと上平面５ｋとの間から離脱した状態である。ここで容器本体１を押し下げるとその内容物が放出口６ａから外部空間域に放出される。【選択図】図２
2017056950.tif 000002
【特許請求の範囲】
【請求項１】
容器本体ユニットを収容する筒状のカバー体およびこれと一体の内容物放出通路部からなるカバー体ユニットに、前記容器本体ユニットが、前記内容物放出通路部と容器本体側のステムとの一体化により連結された場合の、内容物放出操作に応じたこれらユニットの相対移動を阻止するロックモードが設定される内容物放出操作ロック構造において、
前記カバー体ユニットは、
前記カバー体に形成されたロックモード設定用の固定基部と、
前記容器本体ユニットの一部と前記固定基部との間に入り込んで前記ロックモードを設定するロック作用部が形成された回動キャップと、を備えている、
ことを特徴とする内容物放出操作ロック構造。
【請求項２】
前記ロック作用部は、
前記容器本体ユニットの一部に対向する第一のロック作用面と、
前記固定基部に対向する第二のロック作用面と、を備えている、
ことを特徴とする請求項１記載の内容物放出操作ロック構造。
【請求項３】
前記回動キャップは、
前記ロックモードの設定にともない前記内容物放出通路部の放出口を外部空間域から遮蔽する放出口遮蔽部を備えている、
ことを特徴とする請求項１または２に記載の内容物放出操作ロック構造。
【請求項４】
前記回動キャップは、
前記ロックモードにおける天面が、カバー体の天面との面一平面に設定される、
ことを特徴とする請求項１乃至３のいずれかに記載の内容物放出操作ロック構造。
【請求項５】
前記容器本体ユニットの一部は、
内容物を収容する容器本体の開口部に取り付けられたマウンティングカップの天面部分である、
ことを特徴とする請求項１乃至４のいずれかに記載の内容物放出操作ロック構造。
【請求項６】
請求項１乃至５のいずれかに記載の内容物放出操作ロック構造を備え、かつ、前記容器本体に噴射用ガスおよび内容物を収容した、
ことを特徴とするエアゾール式製品。
【請求項７】
請求項１乃至５のいずれかに記載の内容物放出操作ロック構造を備え、かつ、前記容器本体に内容物を収容した、
ことを特徴とするポンプ式製品
【発明の詳細な説明】
【技術分野】
【０００１】
本発明は、エアゾール式製品やポンプ式製品の内容物放出操作を、容器本体ユニットと、これを収容する筒状のカバー体および内容物放出通路部からなるカバー体ユニットとの相対移動により、おこなう形の内容物放出操作ロック構造に関する。
【０００２】
特に、カバー体ユニットに、容器本体ユニットが、内容物放出通路部と容器本体側のステムとの一体化により連結された場合で、利用者が例えば倒立状態のカバー体を把持して容器本体底面を押下げ操作する仕様の内容物放出操作ロック構造に関する。
【０００３】
本発明では、カバー体ユニットに回動キャップを設け、このキャップの回動操作により内容物放出操作「阻止」のロックモードと、内容物放出操作「可」のロック解除・静止モードとを選択的に設定している。
【０００４】
また、ロックモードでは、回動キャップにより内容物放出通路部の放出口を外部空間域から遮蔽している。
【０００５】
また、回動キャップが、ロックモードでは平伏状態に設定され、ロック解除・静止モードでは視覚的にこれとは明らかに異なる垂下状態に設定される。
【０００６】
本明細書では、上下の位置関係に関して図１〜図３の倒立使用状態を前提とする。そのため図４の場合、見た目の上下関係と説明中の「上」，「下」とは逆になる。例えば構成要素「５ｊ」は「垂下片部」ではなく「起立片部」と記載する。
【０００７】
また、内容物の放出口側を「前」、それとはステム回りの１８０度反対側を「後」とそれぞれ記す。図１〜図３の左側が「前」で右側が「後」となる。
【０００８】
また、後述のＬ字状ノズルの長尺部分全体を含む上下方向などを「縦」、上下方向と直交する水平面上の方向を「横」，「左右」とそれぞれ記す。
【背景技術】
【０００９】
従来、上述したカバー体ユニットに、容器本体ユニットが、内容物放出通路部とステムとの一体化により連結されて、利用者が、倒立状態のカバー体を把持して容器本体底面を押下げ操作する仕様のエアゾール式製品は提案済みである（特許文献１参照）。
【先行技術文献】
【特許文献】
【００１０】
【特許文献１】特開平２−１６８９６４号公報
【発明の概要】
【発明が解決しようとする課題】
【００１１】
従来の内容物放出操作ロック構造は、内容物放出操作「阻止」のロックモードと内容物放出操作「可」のロック解除・静止モードを選択的に設定する機能や、ロックモードにおける内容物放出口を遮蔽する機能などを備えていない。
【００１２】
そのため、利用者が間違って内容物放出操作をしてもそれを防ぐことができず、また不使用時に内容物放出口が外部空間域から遮蔽されることもなく、利便性にかけるという問題点があった。
【００１３】
そこで、本発明では、容器本体を収容するカバー体に回動キャップを形成し、これが閉じたいわば平伏状態のロックモードと、これが開いた垂下状態のロック解除・静止モードとを設定している。
【００１４】
また、ロックモードのとき、回動キャップが内容物放出口を外部空間域から遮蔽し、さらには回動キャップ天面がカバー体天面と略同一平面となってカバー体全体を単一円筒形状に設定している。
【００１５】
本発明はこのような構成により、
(11)誤操作でエアゾール式製品，ポンプ式製品が不用意に内容物放出状態となるのを阻止して、利用者の利便化を図り、
(12)回動キャップの平伏，垂下状態の違いによって、ロックモード／ロック解除・静止モードの確認の簡単化を図り、
(13)製品不使用時の内容物放出口を遮蔽保護して、内容物放出機構の故障発生の阻止化、また放出口回りの外観全体のシンプル化，デザイン化を図り、
(14)ロックモードのカバー体天面の全体を面一平面状にして、ロックモード倒立状態におけるカバー体，製品の自己起立可能化を図り、
(15)ロックモードのカバー体全体の外観を単一円筒状にして、回動キャップを含むカバー体全体の外観のシンプル化を図る、
ことを目的とする。
【課題を解決するための手段】
【００１６】
本発明は、以上の課題を次のようにして解決する。
（１）容器本体ユニット（例えば後述の容器本体ユニット４）を収容する筒状のカバー体（例えば後述のカバー体５）およびこれと一体の内容物放出通路部（例えば後述のＬ字状ノズル５ｎ）からなるカバー体ユニット（例えば後述のカバー体ユニット８）に、前記容器本体ユニットが、前記内容物放出通路部と容器本体側のステム（例えば後述のステム３）との一体化により連結された場合の、内容物放出操作に応じたこれらユニットの相対移動を阻止するロックモードが設定される内容物放出操作ロック構造において、
前記カバー体ユニットは、
前記カバー体に形成されたロックモード設定用の固定基部（例えば後述のＬ字状起立片部５ｊ）と、
前記容器本体ユニットの一部（例えば後述の天面部分２ｂ）と前記固定基部との間に入り込んで前記ロックモードを設定するロック作用部（例えば後述の脚部７ｄの先端部分）が形成された回動キャップ（例えば後述の回動キャップ７）と、を備えた、
構成態様のものを用いる。
（２）上記（１）において、
前記ロック作用部は、
前記容器本体ユニットの一部に対向する第一のロック作用面（例えば後述の平底面７ｅ）と、
前記固定基部に対向する第二のロック作用面（例えば後述のスロープ先端下平面７ｆ）と、を備えた、
構成態様のものを用いる。
（３）上記（１），（２）において、
前記回動キャップは、
前記ロックモードの設定にともない前記内容物放出通路部の放出口を外部空間域から遮蔽する放出口遮蔽部(例えば後述の放出口遮蔽部７ｈ)を備えた、
構成態様のものを用いる。
（４）上記（１）〜（３）において、
前記回動キャップは、
前記ロックモードにおける天面が、カバー体の天面との面一平面に設定される、
構成態様のものを用いる。
（５）上記（１）〜（４）において、
前記容器本体ユニットの一部は、
内容物を収容する容器本体の開口部に取り付けられたマウンティングカップ（例えば後述のマウンティングカップ２）の天面部分（例えば後述の天面部分２ｂ）である、
構成態様のものを用いる。
【００１７】
このような構成からなる内容物放出操作ロック構造、ならびにこの内容物放出操作ロック構造を備えたエアゾール式製品およびポンプ式製品を本発明の対象としている。
【発明の効果】
【００１８】
本発明は、以上の構成をとることにより、
(21)エアゾール式製品，ポンプ式製品が不用意に内容物放出状態となるのを阻止して、利用者の利便化を図り、
(22)回動カバー体の平伏，垂下状態の違いによって、ロックモード／ロック解除・静止モードの確認の簡単化を図り、
(23)製品不使用時の内容物放出口を遮蔽保護して、内容物放出機構の故障発生の阻止化、また放出口回りの外観全体のシンプル化，デザイン化を図り、
(24)ロックモードのカバー体天面の全体を面一平面状にして、ロックモード倒立状態におけるカバー体，製品の自己起立可能化を図り、
(25)ロックモードのカバー体全体の外観を単一円筒状にして、回動キャップを含むカバー体全体の外観のシンプル化を図る、
ことができる。
【図面の簡単な説明】
【００１９】
【図１】倒立使用時の、カバー体ユニットの回動キャップを閉じることにより、その脚部がカバー体とマウンティングカップとの間に入って、両者間の内容物放出操作を阻止するロックモードの縦断面を示す説明図である。
【図２】図１の回動キャップを図示反時計方向に９０度ほど回動させたロック解除・静止モードの縦断面を示す説明図である。
【図３】図２のカバー体を例えば把持した状態で、容器本体底面が押下げ操作された作動モードを示す説明図である。
【図４】正立状態での、回動キャップ，カバー体と、容器本体ユニット（容器本体，マウンティングカップ，ステム)との関連構成を示す説明図である。
【発明を実施するための形態】
【００２０】
図１乃至図４を用いて本発明の実施形態を説明する。
【００２１】
上述したように、上下の位置関係に関して図１〜図３の倒立使用状態を前提とする。
そのため図４の場合、見た目の上下関係と説明中の「上」，「下」とは逆になり、例えば構成要素「５ｊ」は「Ｌ字状垂下片部」ではなく「Ｌ字状起立片部」となる。
【００２２】
本発明の内容物放出操作ロック構造はエアゾール式製品およびポンプ式製品の双方に適用できるが、以下の実施形態では単なる説明の便宜上、エアゾール式製品の場合を前提とする。
【００２３】
なお、以下のアルファベット付き参照番号の構成要素（例えば環状肩部１ａ）は原則として、当該参照番号の数字部分の構成要素（例えば容器本体１）の一部であることを示している。
【００２４】
図１〜図４において、
１は後述の圧縮ガスおよび放出内容物が収容されたエアゾールタイプの容器本体，
１ａは容器本体１の下側環状部分であって、上側から内向き下り傾斜態様に形成された環状肩部，
２は環状肩部１ａの開口部にクリンチ加工などにより取り付けられた二段形状で周知のマウンティングカップ，
２ａはマウンティングカップ２の小径の下側円台状部，
２ｂはロックモードにおいて後述の脚部７ｄの平底面７ｅが当接または対向する、容器本体ユニットの一部としての下側円台状部２ａの天面部分，
３は容器本体１の内部に配設され、かつ、下端部分が後述のＬ字状ノズル５ｎの流入側に取り付けられて、コイルスプリング(図示省略)の弾性作用で下方に付勢され、内容物放出操作にともないステムガスケット(図示省略)との間でバルブ作用を呈する周知のステム，
４は容器本体１，マウンティングカップ２およびステム３からなる容器本体ユニット，
をそれぞれ示している。
【００２５】
また、
５は容器本体１をそのマウンティングカップ側部分から収容し、下端側を除き容器本体内部に配設されたステム３および後述のＬ字状ノズル５ｎの嵌合部分を介して、このステムと上下方向へ連動する円筒状のカバー体，
５ａはカバー体５の天板側に形成された平面視「コの字状」の前下側開口部，
５ｂは前下側開口部５ａの縁部分から上方に形成された同じく「コの字状」の起立部，
５ｃは前下側開口部５ａの前上端部分を画定する前円弧状段部，
５ｄは起立部５ｂの上後端対向部分間に連続形成された横方向の長方形天板部，
５ｅは長方形天板部５ｄの下面部分に形成された一対でそれぞれ横方向の平行凸状部，
５ｆは一対の平行凸状部の間に形成されて、後述の前側直線凸状部７ｂまたは後側直線凸状部７ｃと選択的に係合する横溝状部，
５ｇは起立部５ｂの上後端対向部分に、横溝状部５ｆからの仮想垂下面を対称中心にする態様で形成され、後述の回動軸７ａの受け部として作用する一対の横孔部，
５ｈは横孔部５ｇそれぞれの真下表面部分に形成されて、下側から後述の回動キャップ７の回動軸７ａをこの横孔部にはめ込む際の案内作用を呈するテーパガイド面，
５ｊは長方形天板部５ｄの左右前端の各部分からロックモード（図１）の後上方に連続形成されて、後述の回動キャップ７を内容物放出操作阻止のロックモードに設定保持するための、固定基部としての一対のＬ字状起立片部，
５ｋはＬ字状起立片部５ｊそれぞれの内向き上端面であって、ロックモードにおける後述の脚部７ｄのスロープ先端下平面７ｆを、マウンティングカップ２の天面部分２ｂとの間のロックモード位置に設定保持する一対の上平面（図１参照），
５ｍは上平面５ｋの前端部分から上方後側に連続形成されて、後述の脚部７ｄの、図２のロック解除・静止モードから図１のロックモードの位置への回動時に、脚部７ｄのテーパ面７ｇとのぶつかりを回避するための上側後退の円弧状曲面，
５ｎは前円弧状段部５ｃから下方へ延びる垂下片部と、長方形天板部５ｄの左右中央前端部分とにそれぞれ連続する態様で形成された内容物放出通路部としてのＬ字状ノズル，
５ｐはＬ字状ノズル５ｎの流入側部分であってステム３の流出側が取り付けられる縦筒状部，
６はＬ字状ノズル５ｎの流出側端部に嵌合保持される鞘状のノズルチップ,
６ａはノズルチップ６の底面中央部に形成された内容物放出用の放出口，
をそれぞれ示している。
【００２６】
また、
７はカバー体５の前下側開口部５ａに配設されて、内容物放出操作が阻止されるロックモードの閉状態(平伏状態)と、内容物放出操作が可能なロック解除モードの開状態（垂下状態）とを選択的に設定する回動キャップ、
７ａはカバー体５の横孔部５ｇのそれぞれに係合保持されて、回動キャップ７の回動中心として作用する円柱状で一対の回動軸，
７ｂはこの一対の回動軸７ａを結ぶ直線状に形成されて、図１のロックモードのとき、カバー体５の横溝状部５ｆとの係合作用により回動キャップ７をその閉状態に保持する前側直線凸状部，
７ｃは前側直線凸状部７ｂと平行な直線状に形成されて、図２，図３のロック解除・静止モードのとき、カバー体５の横溝状部５ｆとの係合作用により回動キャップ７をその開状態に保持する後側直線凸状部，
７ｄはそれぞれ回動キャップ７の天井面前側からの起立部分とその先の後上方へのスロープ状部分とからなり、ロックモードのとき、マウンティングカップ２の天面部分２ｂおよびＬ字状起立片部５ｊの上平面５ｋとの係合作用を呈する、その先端部分がロック作用部としての一対の脚部，
７ｅは脚部７ｄの先端部分であって、ロックモードのとき、マウンティングカップ２の天面部分２ｂと対向または当接する、第一のロック作用面としてのノズル平底面，
７ｆは上記スロープ状部分の後面終了域から平底面７ｅと平行態様に形成されて、ロックモードのとき、Ｌ字状起立片部５ｊの上平面５ｋと対向または当接する、第二のロック作用面としてのスロープ先端下平面，
７ｇはスロープ先端下平面７ｆの後端部分から上方後側に連続形成されて、脚部７ｄの、図２のロック解除・静止モードから図１のロックモードの位置への回動時に、Ｌ字状起立片部５ｊの円弧状曲面５ｍとのぶつかりを回避するための後方上がりのテーパ面，
７ｈは回動キャップ７の前面部分であって、図１のロックモードのときにノズルチップ６の放出口６ａを外部空間域から遮蔽し、また、回動キャップの回動操作時の窪み状操作面として作用する放出口遮蔽部，
８はカバー体５，ノズルチップ６および回動キャップ７からなるカバー体ユニット，
をそれぞれ示している。
【００２７】
また、
Ａは図１のロックモードから図２のロック解除・静止モードへの移行時における回動キャップ７の回動方向，
Ｂは図１のロックモードから図２のロック解除・静止モードへの移行時における脚部７ｄの先端部分（平底面７ｅ，スロープ先端下平面７ｆ）の移動経路，
をそれぞれ示している。
【００２８】
ここで、容器本体１およびステム３は例えば金属製，プラスチック製のものである。マウンティングカップ２は例えば金属性のものである。
【００２９】
また、カバー体５，ノズルチップ６および回動キャップ７は例えばポリプロピレン，ポリエチレン，ポリアセタール，ナイロン，ポリブチレンテレフタレートなどからなるプラスチック製のものである。
【００３０】
横溝状部５ｆを構成するその両側の平行凸状部５ｅや、回動キャップ７の前側直線凸状部７ｂおよび後側直線凸状部７ｃなどは、それぞれ縦断面が略円弧状曲面の形状からなっている。
【００３１】
また、カバー体５の平行凸状部５ｅ，円弧状曲面５ｍおよび回動キャップ７の回動軸７ａ，前側直線凸状部７ｂ，後側直線凸状部７ｃ，テーパ面７ｇなどはプラスチック製の弾性変形可能部分である。
【００３２】
図示の内容物放出操作ロック構造の基本的特徴は、
(31)カバー体ユニット８（カバー体５＋ノズルチップ６＋回動キャップ７）および容器本体ユニット４（容器本体１＋マウンティングカップ２＋ステム３）が、ステム３と、カバー体５におけるＬ字状ノズル５ｎの縦筒状部５ｐとの結合により連結し、
(32)回動キャップ７の回動操作により、
・回動キャップ７の平伏状態で、放出口６ａが外部空間域から遮蔽され、かつ、内容物放出操作としての容器本体１の押下げ操作が阻止される図１のロックモード
・回動キャップ７の垂下状態で、放出口６ａが外部空間域にいわば露出し、かつ、この容器本体１の押下げ操作が阻止されない図２のロック解除・静止モード
を選択的に設定し、
(33)図３で示すように、図２のロック解除・静止モードにおける容器本体１の外側底部分を、ステム３およびこれと一体のカバー体５に対して押下げることにより、内容物放出状態のロック解除・作動モードに移行する、
ことなどである。
【００３３】
図１のロックモードでは、回動キャップ７が、その回動軸７ａを中心に、図２のロック解除・静止モードからＡ方向とは逆の図示時計方向へ９０度ほど移動した平伏状態に設定される。
【００３４】
この回動キャップ７の平伏状態は、前側直線凸状部７ｂと、カバー体５の横溝状部５ｆとの係合作用により安定保持される。
【００３５】
このとき、回動キャップ７の一対の脚部７ｄは、それぞれの平底面７ｅがマウンティングカップ２の天面部分２ｂに対向近接し、また、それぞれのスロ−プ先端下平面７ｆがカバー体５におけるＬ字状起立片部５ｊの上平面５ｋに対向近接している。
【００３６】
すなわち、脚部７ｄの平底面７ｅおよびスロ−プ先端下平面７ｆからなるいわば直方体状の先端部分が、カバー体５のＬ字状起立片部５ｊの上平面５ｋと、マウンティングカップ２の天面部分２ｂとの間へ、それぞれと近接した状態にて入り込んでいる。
【００３７】
この脚部７ｄの先端部分が入り込んだ様子を例えていえば、マウンティングカップ２とカバー体５のＬ字状起立片部５ｊとの隙間にスペーサを装着した状態である。
【００３８】
そのため、図１のロックモードでは、マウンティングカップ２と一体の容器本体１と、カバー体５とを図示上下方向に相対移動させることができず、内容物放出動作に必須なステム３と容器本体１との間の移動が生じえない。
【００３９】
図１のロックモードでは、回動キャップ７の天面と、それ以外のカバー体天面とが略面一平面になっている。また、カバー体５の全体の外観形状は単一円筒である。
【００４０】
そのため、ロックモード製品（容器本体ユニット４＋カバー体ユニット８）の、倒立状態で回動キャップ７の天面およびそれ以外のカバー体天面の全体を、安定状態で例えばテーブルなどの平面部分に載置できる。
【００４１】
回動キャップ７は、図１のロックモードの平伏状態からＡ方向の図示反時計方向へ９０度ほど回動させることにより、図２のロック解除・静止モードの垂下状態に移行する。
【００４２】
この回動キャップ７の垂下状態は、後側直線凸状部７ｃと、カバー体５の横溝状部５ｆとの係合作用により安定保持される。
【００４３】
この垂下状態への移行により、マウンティングカップ２とカバー体５のＬ字状起立片部５ｊとの隙間にいれたスペーサ要素、すなわち脚部７ｄのいわば先端部分がＢ方向に９０度ほど回動して、この隙間から離脱する。
【００４４】
その結果、ステム３と一体のＬ字状ノズル５ｎを含むカバー体５と、単にステム３を収容している容器本体１とは上下方向に相対移動可能な状態になる。
【００４５】
利用者は、回動キャップ７の、図１の平伏状態と図２の垂下状態との違いによりステム３がロックモード，ロック解除・静止モードのいずれに設定あれているかを簡単、確実に知りえる。
【００４６】
図３は、この上下方向に相対移動可能な容器本体１およびカバー体５の中、利用者がカバー体５を持って容器本体１をその底面側から押下げた内容物放出状態である。
【００４７】
このとき、カバー体５と一体で移動しないステム３を下方に付勢する容器本体内部の周知のコイルスプリング（図示省略）は、初期状態からその弾性力に抗する形の縮状態に変化している。
【００４８】
この容器本体１の押下げ操作により、ステム３は、周知の正立使用で自らのみが容器本体１に対して押し下げられたときと同じように、周知のステムガスケット(図示省略)との間の弁作用部が開いた内容物放出状態の作動モードに移行する。
【００４９】
この作動モードにおいて、容器本体１の収容内容物は、「ステム３の弁作用孔部（図示省略）−ステム３の内部通路域−Ｌ字状ノズル５ｎの内部通路域」を経て、ノズルチップ６の放出口６ａから外部空間域に放出される。このような内容物放出機構自体は周知である。
【００５０】
ここで利用者が容器本体１の押下げ操作を止めると、上記縮状態のコイルスプリングが初期状態に復帰し、容器本体１は、この弾性復帰作用でカバー体５に対して上動する。
【００５１】
すなわち容器本体ユニット４およびカバー体ユニット８の全体は図２のロック解除・静止モードに復帰し、内容物放出状態が終了する。
【００５２】
このロック解除・静止モードの回動キャップ７をＡとは逆方向に回動操作することにより、回動キャップ７は９０度ほど回動してその平底面７ｅが天面部分２ｂに、スロープ先端下平面７ｆが上平面５ｋにそれぞれ対向近接した状態へ移行する。すなわち図１のロックモードに移行する。
【００５３】
本発明の内容物放出操作ロック構造が図示の実施形態に限定されるものでないことは勿論であり、例えば、
(41)カバー体５の平行凸状部５ｅを省略して横溝状部５ｆの代わりに直線凸状部を形成し、かつ、回動キャップ７の前側直線凸状部７ｂおよび後側直線凸状部７ｃそれぞれに代えて前側直線凹状部および後側直線凹状部を形成する、
(42)図１，図２とは上下逆の正立状態における、容器本体ユニット４とカバー体ユニット８との上下方向への相対移動操作により、図１相当のロックモードおよび図２相当のロック解除・静止モードを個々に設定する、
ようにしてもよい。
【００５４】
なお、ポンプ式製品での内容物放出操作ロック構造の場合には、図示の環状肩部１ａに相当する要素として、容器本体と螺合するネジキャップが用いられる。
【００５５】
本発明が適用されるエアゾール式製品，ポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５６】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００５７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５９】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６１】
高分子化合物としては、メチルセルロース，ゼラチン，デンプン，カゼイン，ヒドロキシエチルセルロース，キサンタンガム，カルボキシビニルポリマーなどを用いる。
【００６２】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、パラフェノールスルホン酸亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，過酸化水素水などの酸化剤、リン酸二水素アンモニウム，炭酸水素ナトリウム・カリウムなどの消火剤などを用いる。
【００６３】
さらに、上記内容物以外の、懸濁剤，紫外線吸収剤，乳化剤，保湿剤，酸化防止剤、金属イオン封鎖剤なども用いることができる。
【００６４】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６５】
１：容器本体
１ａ：環状肩部
２：マウンティングカップ
２ａ：下側円台状部
２ｂ：天面部分
３：ステム
４：容器本体ユニット（容器本体１，マウンティングカップ２，ステム３）
【００６６】
５：カバー体
５ａ：前下側開口部
５ｂ：起立部
５ｃ：前円弧状段部
５ｄ：長方形天板部
５ｅ：平行凸状部
５ｆ：横溝状部
５ｇ：横孔部
５ｈ：テーパガイド面
５ｊ：Ｌ字状起立片部
５ｋ：上平面（図１参照）
５ｍ：円弧状曲面
５ｎ：Ｌ字状ノズル
５ｐ：縦筒状部
６：ノズルチップ
６ａ：放出口
【００６７】
７：回動キャップ
７ａ：回動軸
７ｂ：前側直線凸状部
７ｃ：後側直線凸状部
７ｄ：脚部
７ｅ：平底面
７ｆ：スロープ先端下平面
７ｇ：テーパ面
７ｈ：放出口遮蔽部
８：カバー体ユニット（カバー体５，ノズルチップ６，回動キャップ７）
【００６８】
Ａ：回動キャップの回動方向
Ｂ：脚部先端部分の移動経路
【図１】
2017056950.tif 000003
【図２】
2017056950.tif 000004
【図３】
2017056950.tif 000005
【図４】
2017056950.tif 000006